(57)【特許請求の範囲】
【請求項１】
公共ネットワーク（ＰＵＢＮＥＴ）の切替え接続を介して相互接続される２個以上の私設通信装置（ＣＯＭ２〜ＣＯＭ４）から成る仮想私設ネットワーク（ＶＰＮＥＴ）のための呼の経路設定方法であって、切替え接続を行うためサービス装置に対しダイヤルがなされ、続いて公共電話番号（ＰＵ２〜ＰＵ４）を私設電話番号（ＰＲ４〜ＰＲ１０）に割り当てる私設番号計画に基づきさらなる切替えを開始するものであり、
前記私設ネットワーク（ＶＰＮＥＴ）の加入者(Ａ、Ｂ、Ｃ)への接続を設定するため、公共ネットワーク（ＰＵＢＮＥＴ）の加入者(Ａ、Ｂ、Ｃ)は前記公共ネットワークと、そして前記公共ネットワークに設けられサービス識別を認識する交換器（ＳＳＰ）とを介して前記サービス装置に対しダイヤルし、前記サービス装置は、前記交換器から呼のターゲットである私設電話番号に関するデータおよび呼の発信源についてのデータを受信し、前記サービス装置は続いて前記私設通信装置（ＣＯＭ２〜ＣＯＭ４）の１つに対しさらなる切替えを開始し、
前記サービス装置はそれによって開始される各呼に対し料金表（ＴＡＴ）を割当て、
前記サービス装置は前記私設通信装置（ＣＯＭ２〜ＣＯＭ４）間の呼に別の呼と異なる料金表（ＴＡＴ）を割当てることを特徴とする呼の経路設定方法。
【請求項２】
前記私設通信装置（ＣＯＭ１〜ＣＯＭ３）は２個以上の端末装置（Ｅ１、Ｅ２、Ｅ３；Ｅ４、Ｅ５、Ｅ６；Ｅ７、Ｅ８、Ｅ９）が備えられている私設分岐交換器（ＰＢＸ１〜ＰＢＸ３）であることを特徴とする請求項１記載の方法。
【請求項３】
前記私設通信装置（ＣＯＭ４〜ＣＯＭ６）が単一の端末装置（Ｅ１０〜Ｅ１２）であることを特徴とする請求項１記載の方法。
【請求項４】
前記料金表（ＴＡＴ）によって加入者(Ａ、Ｂ、Ｃ)が呼に関して支払う料金が決定されることを特徴とする請求項１記載の方法。
【請求項５】
前記料金表（ＴＡＴ）によってどの料金グループが呼に適応されるかが決定されることを特徴とする請求項１記載の方法。
【請求項６】
前記仮想私設ネットワーク（ＶＰＮＥＴ）内の全ての呼は前記ネットワークのオペレータによって支払われ、その他の全ての呼に関する料金は呼を行った加入者(Ａ、Ｂ、Ｃ)に請求されることを特徴とする請求項４記載の方法。
【請求項７】
前記サービス装置は、呼と共に送信される呼を行っている加入者(Ａ、Ｂ、Ｃ)の電話番号（ＰＵ３、ＰＵ２、ＰＵ６；ＮＵＭ３）から、前記仮想私設ネットワーク（ＶＰＮＥＴ）と入ってくる呼との関係を決定することを特徴とする請求項６記載の方法。
【請求項８】
前記サービス装置は、前記呼と共に送信される識別コードによって前記仮想私設ネットワーク（ＶＰＮＥＴ）と入ってくる呼の関係を認識することを特徴とする請求項６記載の方法。
【発明の詳細な説明】
【０００１】
【産業上の利用分野】
本発明は、要求されるとき公共ネットワークの切替え接続を介して相互接続され、切替え接続を行うためにサービスがダイヤルされて私設番号計画に基づいた切替えを開始する２個以上の私設通信装置から成る仮想私設ネットワークのための呼の経路設定方法、およびそのために使用されるサービスコンピュータならびに交換器に関する。
【０００２】
【従来の技術】
長期にわたり、２つのタイプのネットワークが大抵の国において開発された。１つは公共通信ネットワーク（例えば、電話ネットワーク、ＩＳＤＮネットワーク）であり、もう１つは非常に多数の私設および特定ネットワークである。以下において、私設ネットワークの概念はこのタイプの通信ネットワークが使用されている。
【０００３】
殆どの場合において、私設ネットワークは私設分岐交換器からなり、それに複数の電話機が接続され、公共ネットワークへの接続に利用される。このようなネットワークは、例えば企業あるいは公共事業機関で使用されている。
【０００４】
企業が複数の異なる配置を有する場合、これらの各配置はそれ自体の私設分岐交換器を必要とする。これらの私設分岐交換器は、契約による専用の公共の線によって相互接続される。企業内での呼は、これらの専用の公共の線を通して呼を行っている相手の私設分岐交換器をダイヤルする必要がある。
【０００５】
本発明は、RV.Decker's Publishers G.Schenk 社によって発行されたWilhelmKrasch氏による文献（「New Services in the Intelligent Telephon Network」の「5.3.2 Virtual Private Networks」）に記載された都市間あるいは地域間のネットワークの問題に関する異なる解法を基礎としている。
【０００６】
この解決法において、企業の異なる私設分岐交換器は契約による専用線によっては相互接続されず、切り替え接続によって相互接続される。これらの切り替え接続は必要な時にのみ確立され、公共ネットワークサービス、仮想私設ネットワーク（ＶＰＮ）サービスによって支持されている。私設ネットワークの各端末装置は、私設番号計画にしたがって呼の番号が割当てられている。第１の私設分岐交換器エリアから第２の私設分岐交換器エリアへの呼が行われる場合、第１の分岐交換器はサービスにダイヤルし、所望の加入者の私設番号計画の番号を与える。サービスは対応している私設分岐交換器の呼の番号を決定し、個人番号に私設分岐交換器の呼の番号を加えて呼を行う。しかしながら、サービスが行われる前に、呼が私設電話ネットワークの分岐交換器から実際に発生しているか否かを調べる。サービスは、呼が生じている場合のみ実行される。私設分岐交換器に加えて、個々の端末装置がこのサービスを使用することも可能である。
【０００７】
この方法において、私設ネットワークは公共ネットワークの切替えられた接続によって必要な時に互いに通信する複数の私設分岐交換器あるいは個々の端末装置から形成され、ＶＰＮサービスは公共ネットワークを介する呼の完了を助ける。これは、公共ネットワークの切替えられた接続は私設ネットワークの部品ではないので、仮想私設ネットワークとなる。
【０００８】
【発明が解決しようとする課題】
このような仮想私設都市間ネットワークの加入者に対しては、単一の私設分岐交換器によって相互接続される。複数の部分ネットワークから成る全体的な仮想私設都市間ネットワークは、単一のネットワークの効果を有する。しかし、この所望の効果は私設ネットワークの加入者にのみ生じる。私設ネットワーク外からの呼の場合、所望の加入者のエリアにおける正確な私設分岐交換器および所望の加入者の番号を最初にダイヤルする必要がある。
それ故、本発明の目的は、外部からの呼に対しても単一のネットワークとして動作する仮想私設ネットワークを形成することである。
【０００９】
【課題を解決するための手段】
この目的は、私設ネットワークの加入者への接続を設定するため、公共ネットワークの加入者は私設通信装置の１つへの切替えを開始する同じサービスをダイヤルし、サービスはそれによって開始される各呼に料金表を割当て、サービスは私設通信装置間の呼に別の呼と異なる料金表を割当てることを特徴とする呼の経路設定方法、料金表を生成する料金装置を含み、分類装置はメモリ装置に記憶された公共電話番号と１つの電話番号との関係に関するデータを料金装置に送るように構成されていることを特徴とするサービスコンピュータ、およびサービスコンピュータが料金表を生成する料金装置を含み、分類装置はメモリ装置に記憶された公共電話番号と１つの電話番号との関係に関するデータを料金装置に送るように構成されていることを特徴とする交換器によって達成される。
【００１０】
本発明は、上記されたＶＰＮサービスが既に私設番号計画からの番号に私設分岐交換器あるいは公共ネットワーク番号計画からの単一の装置の対応している番号を割当てるための全ての情報を有するという認識に基づいている。
【００１１】
それ故、全く同じサービスが私設ネットワーク内および外からの呼を接続し、接続に対して異なる料金表を割当てることが本発明の基本的な考えである。外部の電話呼の料金は、仮想私設ネットワークのオペレータに請求されるので、異なる料金表が必要である。
【００１２】
本発明の有効な構成は、従属請求項に記載されている。
【００１３】
本発明は、全企業が単一の全国的な企業電話番号と連絡をとる可能性があるという利点を有する。したがって、外部の呼を行う者は、企業電話番号および私設番号計画からの所望の加入者電話番号のみを必要とする。これは、私設番号計画が仮想私設ネットワーク内および外からの呼に適用されるという利点を生じる。この方法において、加入者は、仮想私設ネットワークの別の私設分岐交換器エリアに移動するときに加入者の電話番号を保持することができる。
【００１４】
【実施例】
本発明は、添付図面と共に実施例によって以下にさらに詳細に説明されるであろう。
仮想私設ネットワークおよび公共ネットワークから成る通信装置における本発明の方法の使用は、以下に明瞭とされる。
図１は、６個の通信装置ＣＯＭ１乃至ＣＯＭ６、公共ネットワークＰＵＢＮＥＴおよびサービスコンピュータＳＥＲＶを示す。
【００１５】
通信装置ＣＯＭ１乃至ＣＯＭ６およびサービスコンピュータＳＥＲＶは、公共ネットワークＰＵＢＮＥＴに接続されている。公共ネットワークＰＵＢＮＥＴは、通信装置ＣＯＭ１乃至ＣＯＭ６間の接続を設定することができる。
通信装置ＣＯＭ２、ＣＯＭ３およびＣＯＭ４と公共ネットワークとの接続は、仮想私設ネットワークＶＰＮＥＴを形成する。この接続において通信装置ＣＯＭ２乃至ＣＯＭ４が公共ネットワークＰＵＢＮＥＴの切替えられた接続によって必要なときに互いに通信することができるこの仮想手段は、これらの接続路を仮想私設ネットワークＶＰＮＥＴに恒久的に割当てることを可能にはしない。
【００１６】
接続装置ＣＯＭ１は私設分岐交換器から形成されており、私設分岐交換器ＰＢＸ１およびそれに接続される３個の端末装置Ｅ１乃至Ｅ３から構成される。さらに、通信装置ＣＯＭ２およびＣＯＭ３は、私設分岐交換器ＰＢＸ２あるいはＰＢＸ３および３個の端末装置Ｅ４乃至Ｅ６あるいはＥ７乃至Ｅ９によって形成される私設分岐交換器から構成される。各通信装置ＣＯＭ４乃至ＣＯＭ６は、端末装置Ｅ10乃至Ｅ12によって形成される。
各端末装置Ｅ１乃至Ｅ12は、電話、ファックスあるいは対応しているコンピュータのような通信ネットワーク用の端末装置によって形成される。
異なる数の通信装置あるいは通信装置の別の構成も可能である。
【００１７】
図１における通信装置は、２つの異なる番号計画を有する。公共番号計画は、公共電話番号を公共ネットワークの各接続に割当てる。したがって、番号ＰＵ１乃至ＰＵ６は、通信装置ＣＯＭ１乃至ＣＯＭ６に割当てられる。私設番号計画は、私設電話番号を公共分岐交換器の各端末装置に割当てる。このようにして、私設電話番号ＰＲ４乃至ＰＲ10は、端末装置Ｅ４乃至Ｅ10に割当てられる。
【００１８】
公共ネットワークＰＵＢＮＥＴは、通常の通信ネットワークのように構成される。それ故、それは複数の交換器を含む。これらの交換器の２つＳＳＰ１およびＳＳＰ２は特別の構成を有する。ある「消去」番号が呼出されるとき、交換器ＳＳＰ１およびＳＳＰ２は質問をサービスコンピュータＳＥＲＶに送信する。この消去番号はサービス識別と呼ばれている。それに応答して、それらは呼をさらに処理することに関する情報を受信する。
異なる数の交換器ＳＳＰ１およびＳＳＰ２のような交換器を構成し、それらをサービスコンピュータＳＥＲＶに接続することは可能である。しかしながら、少なくとも１つのこのような交換器が必要とされる。
【００１９】
サービスコンピュータＳＥＲＶは、交換器ＳＳＰ１およびＳＳＰ２から呼のターゲットである私設電話番号に関するデータおよび呼の発信源についてのデータを受信する。これらのデータにより、サービスコンピュータＳＥＲＶは公共電話番号に接続を形成し、呼の料金表を設定する。
【００２０】
加入者Ｂ，ＡあるいはＣは、各端末装置Ｅ６，Ｅ９およびＥ12に配置される。以下は、仮想私設ネットワークＶＰＮＥＴ内で生じる。加入者Ａが加入者Ｂに通話したい場合、加入者Ａは加入者Ｂの電話番号ＰＲ６をダイヤルする。私設分岐交換器ＰＢＸ３は、電話番号ＰＲ６がそのエリアになく、サービス識別および私設電話番号ＰＲ６から成る公共ネットワークから電話番号を選択することを知る。交換器ＳＳＰ１あるいはＳＳＰ２はサービス識別を認識し、サービスコンピュータＳＥＲＶを動作させる。後者は公共電話番号ＰＵ２を決定し、それにより端末装置Ｅ６は私設電話番号ＰＲ６と連絡をとり、呼を公共電話番号ＰＵ２に接続することができる。さらに、サービスコンピュータＳＥＲＶは、呼の料金率を設定する。私設分岐交換器ＰＢＸ２はその局部的ループにおける呼を受信し、私設電話番号ＰＲ６のために端末装置Ｅ６へ経路指示する。
仮想私設ネットワークＶＰＮのメンバーでない加入者Ｃが加入者Ｂに通話したい場合、加入者Ｃは私設ネットワークＶＰＮＥＴの予備選択コードであるサービス識別をダイヤルし、加入者Ｂの私設電話番号ＰＲ６をダイヤルする。呼は交換器ＳＳＰ１およびＳＳＰ２の１つによって再び認識され、サービスコンピュータＳＥＲＶは電話番号ＰＵ２に接続させる。
【００２１】
サービスコンピュータＳＥＲＶ、およびサービスコンピュータＳＥＲＶと２つの交換器ＳＳＰ１およびＳＳＰ２の間における正確な機能的シーケンスは、図２によって説明される。
図２は、サービスコンピュータＳＥＲＶを示す。サービスコンピュータＳＥＲＶは、通信装置ＣＯＭ、分類装置ＣＬＡＳ、記憶装置ＭＥＭ、変換装置ＴＲＡＮＳ、料金装置ＴＡＲ、グループ化装置ＧＲＯＵＰおよびアドレス装置ＳＰＡＣＥを含む。
【００２２】
通信装置ＣＯＭはデータを交換器ＳＳＰ１およびＳＳＰ２と交換し、料金装置ＴＡＲから料金データを受信する。分類装置ＣＬＡＳは通信装置ＣＯＭから電話番号ＮＵＭ３に関するデータを受信し、記憶装置ＭＥＭからデータを読取り、料金装置ＴＡＲ、グループ化装置ＧＲＯＵＰおよびアドレス装置ＳＰＡＣＥにデータを送る。変換装置ＴＲＡＮＳは通信装置ＣＯＭから電話番号ＮＵＭ１に関するデータを受信し、それに電話番号ＮＵＭ２に関するデータを供給する。さらに、記憶装置ＭＥＭからのデータを読取り、グループ化装置ＧＲＯＵＰおよびアドレス装置ＳＰＡＥからのデータを受信する。グループ化装置ＧＲＯＵＰおよびアドレス装置ＳＰＡＣＥは、通信装置ＣＯＭから電話番号ＮＵＭ１に関するデータを受信する。
【００２３】
通信装置ＣＯＭは、交換器ＳＳＰ１およびＳＳＰ２と通信させるように機能する。これら２つの交換器ＳＳＰ１およびＳＳＰ２の１つが電話番号の前のサービス識別を認識する場合、サービスコンピュータＳＥＲＶに要求を送る。この要求は、呼出された私設電話番号ＮＵＭ１および公共電話番号ＮＵＭ３に関し、呼が発生する通信装置に属するデータを含む。通信装置ＣＯＭは分類装置ＣＬＡＳへ公共電話番号ＮＵＭ３を経路指定し、私設電話番号ＮＵＭ１を変換装置ＴＲＡＮＳ、グループ化装置ＧＲＯＵＰおよびアドレス装置ＳＰＡＣＥに供給する。通信装置ＣＯＭは、変換装置ＴＲＡＮＳから公共電話番号ＮＵＭ２、あるいはこのような番号が利用できないメッセージに関するデータ、および料金装置ＴＡＲから料金表ＴＡＴに関するデータを受信する。
【００２４】
電話番号ＮＵＭ２あるいはこのような電話番号は利用できないというメッセージ、および料金表ＴＡＴに関するデータは、これら２つの生じられたデータに依存して要求を交換器ＳＳＰ１あるいはＳＳＰ２へ経路設定される。これらのデータは、各交換器ＳＳＰ１あるいはＳＳＰ２に呼を公共電話番号ＮＵＭ２に接続させ、またはそれを無効とさせる。呼の料金は、料金表ＴＡＴによって設定される。
【００２５】
記憶装置ＭＥＭは、私設電話番号に対する公共電話番号の割当てに関するデータを含む。連絡をとることができる公共電話番号は、私設番号計画から各電話番号に割当てられる。したがって、例えば公共電話番号ＰＵ２は私設電話番号ＰＲ４、ＰＲ５およびＰＲ６に割当てられ、公共電話番号ＰＵ４は私設電話番号ＰＲ10に割当てられる。
【００２６】
分類装置ＣＬＡＳは、呼が仮想私設ネットワークＶＰＮＥＴにおける通信装置ＣＯＭ２乃至ＣＯＭ４の１つから発生しているか否かを調べる。それは、公共電話番号ＮＵＭ３に関する通信装置ＣＯＭからのデータを受信し、この電話番号が記憶装置ＭＥＭのデータセットに記憶された公共電話番号として私設電話番号に割当てられているか否かを調べる。そうであれば、電話番号ＮＵＭ３は仮想私設ネットワークＶＰＮＥＴの通信装置の公共電話番号である。調べた後、それは、電話番号ＮＵＭ３が仮想私設ネットワークＶＰＮＥＴにおける通信装置に属するか否かを料金装置ＴＡＲ、グループ化装置ＧＲＯＵＰおよびアドレス装置ＳＰＡＣＥに知らせる。
【００２７】
さらに、呼が仮想私設ネットワークＶＰＮＥＴにおける通信装置から発生るか否かという質問を異なる方法で答えることも可能である。例えば、識別コードとして作用するサービス識別および個人電話番号に加えて仮想私設ネットワークＶＰＮＥＴにおける各通信装置はダイヤル情報における番号シーケンスを含むことができる。その場合には、このコードを識別し、結果を送信することは分類装置ＣＬＡＳのタスクである。
【００２８】
料金装置ＴＡＲは、呼の料金表ＴＡＴを決定する。このため、それは呼が仮想私設ネットワークＶＰＮＥＴから発生しているか否かに関する分類装置ＣＬＡＳからデータを受信する。それは、これら２つの例のそれぞれの異なる料金率ＴＡＴを決定し、それらを通信装置ＣＯＭに送信する。
【００２９】
料金表ＴＡＴは接続のために支払う加入者を決定し、接続の基礎となる料金を決定する。料金表は、公共電話ネットワークへの加入者のグループに割当てられた接続の価格表である。仮想私設ネットワークＶＰＮＥＴの加入者によって行われる全ての接続は、仮想私設ネットワークＶＰＮＥＴのオペレータに請求される。この大きな顧客は、特別の料金表を受信する。仮想私設ネットワークＶＰＮＥＴの外からの呼に基づいて生じる全接続は、通常の料金に基づいて呼を行っている加入者に請求される。
【００３０】
別のタイプあるいは料金表の異なる割当てが可能である。特に、仮想私設ネットワークＶＰＮＥＴ外からの呼に基づいて行われる接続が仮想私設ネットワークＶＰＮＥＴのオペレータによって十分にあるいは部分的に支払われることは可能である。その場合、料金の分配が呼を行っている加入者の電話番号ＮＵＭ３の作用とされることも可能である。
【００３１】
私設電話番号ＮＵＭ１に応じて、変換装置ＴＲＡＮＳは公共電話番号ＮＵＭ２を通信装置ＣＯＭに送信し、または呼出された番号が存在しないことを知らせる。そのため、それは記憶装置ＭＥＭ中のデータセットを探索する。見付かった場合は、電話番号を通信装置ＣＯＭに送信する。そうでない場合は、電話番号が存在しないことを伝える。グループ化装置ＧＲＯＵＰおよびアドレス装置ＳＰＡＣＥはこの探索に関係する。
【００３２】
グループ化装置ＧＲＯＵＰは、閉じた利用者グループの形成を行う。これは、仮想私設ネットワークＶＰＮＥＴの幾つかの端末装置が仮想私設ネットワークＶＰＮＥＴに属している端末装置から通話することができるようにさせる。これを行うために、グループ化装置ＧＲＯＵＰは、呼が仮想私設ネットワークＶＰＮＥＴから発生しているか否かに関する分類装置ＣＬＡＳからのデータを受信する。それは、通信装置ＣＯＭから私設電話番号ＮＵＭ１に関するデータを受信する。グループ化装置ＧＲＯＵＰは、電話番号ＮＵＭ１が閉じた利用者グループのメンバーであるか否かを調べる。そうであり、呼が仮想私設ネットワークＶＰＮＥＴから発生しない場合、変換装置ＴＲＡＮＳは探索および電話番号の割当てを行わないことが伝えられる。
【００３３】
任意の構成の複数の閉じた利用者グループが可能であるような方法でグループ化装置ＧＲＯＵＰを構成することもできる。グループ化装置ＧＲＯＵＰは、電話番号ＮＵＭ３に関する付加的なデータを受信しなければならない。仮想私設ネットワークＶＰＮＥＴの端末装置の任意の所望の結合により利用者グループを形成することは可能であり、それにおいて仮想私設ネットワークＶＰＮＥＴに属していない全端末装置は含まれるか除外される。
【００３４】
アドレス装置ＳＰＡＣＥにより、異なるアドレススペースは仮想私設ネットワークＶＰＮＥＴおよびその外部からの呼のために形成される。これは、呼が仮想私設ネットワークＶＰＮＥＴから発生しているか否かに依存して、２つの異なる端末装置が１つの電話番号と通話することができることを意味する。このような電話番号の割当ては、例えば中央電話交換局に有効である。そのために、アドレス装置ＳＰＡＣＥは呼が仮想私設ネットワークＶＰＮＥＴから発生しているか否かに関する分類装置ＣＬＡＳからのデータを受信する。通信装置ＣＯＭから、電話番号ＮＵＭ１に関するデータを受信する。アドレス装置は、電話番号ＮＵＭ１が２つの異なる端末装置が通話できる番号であるか否かを調べる。そうであり、呼が外部から発生している場合、変換装置ＴＲＡＮＳは探索を実行しないことを伝えられる。次に、それは対応している電話番号ＮＵＭ２が報告される。
さらに、それらの起点のエリアに応じて仮想私設ネットワークＶＰＮＥＴ外から発生している呼に異なるアドレススペースを割当てることは可能である。したがって、例えば企業の最も近いサービス区分外からの呼は切替えられる。このために、アドレス装置ＳＰＡＣＥは、通信装置ＣＯＭからの電話番号ＮＵＭ３に関する付加的なデータを受信しなければならない。
グループ化装置ＧＲＯＵＰあるいはアドレス装置ＳＰＡＣＥを省略することも可能である。
【００３５】
図１における実施例は、仮想私設ネットワークおよび公共ネットワークから成る通信装置における本発明による方法の応用を説明する。任意の数の仮想私設ネットワークが通信装置の一部となることが可能である。これらの各仮想私設ネットワークは、それ自体のサービス識別子を有するそれ自体のサービスコンピュータを有する。このサービス識別子は、交換器ＳＳＰ１およびＳＳＰ２のサービスコンピュータをアドレスする。１つのコンピュータが複数のサービスコンピュータの機能の代りとなることも可能である。
【図面の簡単な説明】
【図１】  本発明によるサービスコンピュータを備えた通信装置の概略図。
【図２】  図１の本発明によるサービスコンピュータのブロック回路図。
【図１】
0004112640.tif 000002
【図２】
0004112640.tif 000003